【手続補正書】
【提出日】平成20年2月27日(2008.2.27)
【手続補正１】
【補正対象書類名】明細書
【補正対象項目名】発明の名称
【補正方法】変更
【補正の内容】
【発明の名称】フォント選択方法及びフォント選択装置
【手続補正２】
【補正対象書類名】明細書
【補正対象項目名】特許請求の範囲
【補正方法】変更
【補正の内容】
【特許請求の範囲】
【請求項１】
メタデータを含む複数のイメージに関連するキャプションに使用するフォントのコレクションからフォントを選択するフォント装置であって、
メタデータのキー特性の共通性を見つけるため複数のイメージに関連するメタデータを分析する手段と、
前記分析する手段に基づき、複数のイメージデータに関連するメタデータのキー特性の共通性から共通のキー特性を決定する手段と、
キー特性を持つ複数のフォントを含むフォントのコレクションから、前記決定する手段で決定された共通のキー特性とマッチするフォントを表示する手段と、
前記表示する手段により表示されたフォントから指示されたフォントを選択する手段と、
前記選択する手段により選択されたフォントをキャプションのフォントとして設定する手段と
を有することを特徴とするフォント選択装置。
【請求項２】
前記メタデータは、日付、ロケーション情報、ユーザ設定キーワード、カラー情報のいずれかを含むことを特徴とする請求項１記載のフォント選択装置。
【請求項３】
前記キー特性は、特定の範囲内の同じ日付と時刻、同じ日付とロケーション、キーワードマッチング、同じ日付とキーワード、カラー類似度のいずれかを含むことを特徴とする請求項１記載のフォント選択装置。
【請求項４】
複数のイメージに関連するキャプションを挿入し、デフォルトフォントで表示する手段を有し、
キー特性を持つ複数のフォントを含むフォントのコレクションから、前記決定する手段で決定された共通のキー特性とマッチするフォントを発見できない場合、キャプションのフォントをデフォルトフォントで表示することを特徴とする請求項１のフォント選択装置。
【請求項５】
ハイパーテキストを読み込む手段と、
前記ハイパーテキストのハイパーリンクと関連するキー特性を決定する手段と、
前記決定手段により決定されたハイパーリンクと関連するキー特性を持つフォントを検索し、前記決定手段により決定されたハイパーリンクと関連するキー特性とマッチするキー特性を持つフォントを選択する手段と、
前記ハイパーリンクのフォントを前記選択する手段で選択されたフォントに置き換える手段と
を有することを特徴とするフォント選択装置。
【請求項６】
メタデータを含む複数のイメージに関連するキャプションに使用するフォントのコレクションからフォントを選択するフォント選択方法であって、
メタデータのキー特性の共通性を見つけるため複数のイメージに関連するメタデータを分析するステップと、
前記分析するステップに基づき、複数のイメージデータに関連するメタデータのキー特性の共通性から共通のキー特性を決定するステップと、
キー特性を持つ複数のフォントを含むフォントのコレクションから、前記決定するステップで決定された共通のキー特性とマッチするフォントを表示するステップと、
前記表示するステップにより表示されたフォントから指示されたフォントを選択するステップと、
前記選択するステップにより選択されたフォントをキャプションのフォントとして設定するステップと
を有することを特徴とするフォント選択方法。
【請求項７】
前記メタデータは、日付、ロケーション情報、ユーザ設定キーワード、カラー情報のいずれかを含むことを特徴とする請求項６記載のフォント選択方法。
【請求項８】
前記キー特性は、特定の範囲内の同じ日付と時刻、同じ日付とロケーション、キーワードマッチング、同じ日付とキーワード、カラー類似度のいずれかを含むことを特徴とする請求項６記載のフォント選択方法。
【請求項９】
複数のイメージに関連するキャプションを挿入し、デフォルトフォントで表示するステップを有し、
キー特性を持つ複数のフォントを含むフォントのコレクションから、前記決定するステップで決定された共通のキー特性とマッチするフォントを発見できない場合、キャプションのフォントをデフォルトフォントで表示することを特徴とする請求項６のフォント選択方法。
【請求項１０】
ハイパーテキストを読み込むステップと、
前記ハイパーテキストのハイパーリンクと関連するキー特性を決定するステップと、
前記決定ステップにより決定されたハイパーリンクと関連するキー特性を持つフォントを検索し、前記決定ステップにより決定されたハイパーリンクと関連するキー特性とマッチするキー特性を持つフォントを選択するステップと、
前記ハイパーリンクのフォントを前記選択するステップで選択されたフォントに置き換えるステップと
を有することを特徴とするフォント選択方法。
【請求項１１】
コンピュータに、
メタデータのキー特性の共通性を見つけるため複数のイメージに関連するメタデータを分析するステップと、
前記分析するステップに基づき、複数のイメージデータに関連するメタデータのキー特性の共通性から共通のキー特性を決定するステップと、
キー特性を持つ複数のフォントを含むフォントのコレクションから、前記決定するステップで決定された共通のキー特性とマッチするフォントを表示するステップと、
前記表示するステップにより表示されたフォントから指示されたフォントを選択するステップと、
前記選択するステップにより選択されたフォントをキャプションのフォントとして設定するステップと
を実行させるプログラム。
【請求項１２】
前記メタデータは、日付、ロケーション情報、ユーザ設定キーワード、カラー情報のいずれかを含むことを特徴とする請求項１１記載のプログラム。
【請求項１３】
前記キー特性は、特定の範囲内の同じ日付と時刻、同じ日付とロケーション、キーワードマッチング、同じ日付とキーワード、カラー類似度のいずれかを含むことを特徴とする請求項１１記載のプログラム。
【請求項１４】
複数のイメージに関連するキャプションを挿入し、デフォルトフォントで表示するステップをコンピュータに実行させ、
キー特性を持つ複数のフォントを含むフォントのコレクションから、前記決定するステップで決定された共通のキー特性とマッチするフォントを発見できない場合、キャプションのフォントをデフォルトフォントで表示させることを特徴とする請求項１１のプログラム。
【請求項１５】
コンピュータに、
ハイパーテキストを読み込むステップと、
前記ハイパーテキストのハイパーリンクと関連するキー特性を決定するステップと、
前記決定ステップにより決定されたハイパーリンクと関連するキー特性を持つフォントを検索し、前記決定ステップにより決定されたハイパーリンクと関連するキー特性とマッチするキー特性を持つフォントを選択するステップと、
前記ハイパーリンクのフォントを前記選択するステップで選択されたフォントに置き換えるステップと
を実行させることを特徴とするプログラム。
【手続補正３】
【補正対象書類名】明細書
【補正対象項目名】００１０
【補正方法】変更
【補正の内容】
【００１０】
【課題を解決するための手段】
本発明の１つの側面によれば、メタデータを含む複数のイメージに関連するキャプションに使用するフォントのコレクションからフォントを選択するフォント装置であって、メタデータのキー特性の共通性を見つけるため複数のイメージに関連するメタデータを分析する手段と、前記分析する手段に基づき、複数のイメージデータに関連するメタデータのキー特性の共通性から共通のキー特性を決定する手段と、キー特性を持つ複数のフォントを含むフォントのコレクションから、前記決定する手段で決定された共通のキー特性とマッチするフォントを表示する手段と、前記表示する手段により表示されたフォントから指示されたフォントを選択する手段と、前記選択する手段により選択されたフォントをキャプションのフォントとして設定する手段とを有することを特徴とするフォント選択装置が提供される。
【手続補正４】
【補正対象書類名】明細書
【補正対象項目名】００１１
【補正方法】変更
【補正の内容】
【００１１】
本発明の別の側面によれば、ハイパーテキストを読み込む手段と、前記ハイパーテキストのハイパーリンクと関連するキー特性を決定する手段と、前記決定手段により決定されたハイパーリンクと関連するキー特性を持つフォントを検索し、前記決定手段により決定されたハイパーリンクと関連するキー特性とマッチするキー特性を持つフォントを選択する手段と、前記ハイパーリンクのフォントを前記選択する手段で選択されたフォントに置き換える手段とを有することを特徴とするフォント選択装置が提供される。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】